(57)【要約】【課題】少ない部品点数で演出役物装置を可動させることで、低コストでありながらも高い演出効果を発揮することができる遊技機を提供する。【解決手段】  演出役物装置Ｓは、アクチュエータと、アクチュエータの動力により直線方向に往復動する第１装飾ユニット１００と、第１装飾ユニットに回転自在に連結され、第１装飾ユニットと一体となって直線方向に移動する第２装飾ユニット２００と、第１装飾ユニットの直線方向の動力を回転方向の動力に変換して第２装飾ユニットに伝達し、直線方向の移動過程で第２装飾ユニットを回転させる回転動力伝達機構４００とを備える。【選択図】図１０
2014217428.tif 000002
【特許請求の範囲】
【請求項１】
アクチュエータと、
前記アクチュエータの動力により直線方向に往復動する第１装飾ユニットと、
前記第１装飾ユニットに回転自在に連結され、該第１装飾ユニットと一体となって直線方向に移動する第２装飾ユニットと、
前記第１装飾ユニットの直線方向の動力を回転方向の動力に変換して前記第２装飾ユニットに伝達し、該直線方向の移動過程で該第２装飾ユニットを回転させる回転動力伝達機構と、を備えたことを特徴とする演出役物装置を有する遊技機。
【請求項２】
前記第１装飾ユニットを往復動自在に支持するベースユニットを備え、
前記ベースユニットには、
前記アクチュエータと、該アクチュエータの動力を前記第１装飾ユニットに伝達する伝達部材とが設けられていることを特徴とする請求項１に記載の演出役物装置を有する遊技機。
【請求項３】
前記第２装飾ユニットは、
前記第１装飾ユニットに回転自在に連結される回転軸が固定端側に設けられ、該回転軸を中心とする回転により、自由端側が前記第１装飾ユニットに対して近接もしくは離間することを特徴とする請求項１または２に記載の演出役物装置を有する遊技機。
【請求項４】
前記回転動力伝達機構は、
前記第２装飾ユニットの前記回転軸に設けられた従動ギヤを少なくとも含む１または互いに噛合関係にある複数の回転ギヤと、
前記回転ギヤに噛合され、前記第１装飾ユニットの移動方向に延在するラックと、
を備えたことを特徴とする請求項３に記載の演出役物装置を有する遊技機。
【請求項５】
前記第２装飾ユニットは、
前記自由端側の端部に設けられた可動装飾体と、
一端が前記可動装飾体に連結され、他端が前記第１装飾ユニットに連結されたリンク機構と、
を備え、
前記リンク機構は、
前記第２装飾ユニットの前記自由端側と前記第１装飾ユニットとが最も離間した初期位置から、該第１装飾ユニットの直線方向の移動に伴って、該第２装飾ユニットの該自由端側が該第１装飾ユニットに最も近接する可動位置まで回転する過程で、前記可動装飾体を、該第２装飾ユニットの回転の軌跡に交差する方向に突出させることを特徴とする請求項３または４に記載の演出役物装置を有する遊技機。
【発明の詳細な説明】
【技術分野】
【０００１】
本発明は、演出役物装置を備えた遊技機に関する。
【背景技術】
【０００２】
従来、始動口に遊技球が入球したことを条件として大役抽選が行われ、この大役抽選により大当たりに当選すると、大入賞口が開放される大役遊技が実行可能となる遊技機が知られている。このような遊技機には、演出用の役物装置（演出役物装置）を搭載している機種がある。演出役物装置は、大役抽選の結果を報知する変動演出中にさまざまな態様で可動することで、大当たりの期待感を遊技者に付与するものであり、こうした演出役物装置を用いた演出により、遊技の興趣向上が図られている（例えば、特許文献１）。
【先行技術文献】
【特許文献】
【０００３】
【特許文献１】特開２０１０−２５９７２７号公報
【発明の概要】
【発明が解決しようとする課題】
【０００４】
このような演出役物装置を複数設けるとともに、各演出役物装置を様々な態様で可動することで演出効果が増大し、遊技の興趣向上が期待できる。しかし、複数の演出役物装置をそれぞれ異なる態様で可動させようとすると、演出役物装置を可動させるアクチュエータを多数設けなければならず、部品点数の増加によりコストが上昇してしまうという課題がある。
【０００５】
そこで、本発明は、少ない部品点数で演出役物装置を可動させることで、低コストでありながらも高い演出効果を発揮することができる遊技機を提供することを目的とする。
【課題を解決するための手段】
【０００６】
上記課題を解決するために、本発明の演出役物装置を有する遊技機は、アクチュエータと、前記アクチュエータの動力により直線方向に往復動する第１装飾ユニットと、前記第１装飾ユニットに回転自在に連結され、該第１装飾ユニットと一体となって直線方向に移動する第２装飾ユニットと、前記第１装飾ユニットの直線方向の動力を回転方向の動力に変換して前記第２装飾ユニットに伝達し、該直線方向の移動過程で該第２装飾ユニットを回転させる回転動力伝達機構と、を備えたことを特徴とする。
【０００７】
また、前記第１装飾ユニットを往復動自在に支持するベースユニットを備え、前記ベースユニットには、前記アクチュエータと、該アクチュエータの動力を前記第１装飾ユニットに伝達する伝達部材とが設けられているとしてもよい。
【０００８】
また、前記第２装飾ユニットは、前記第１装飾ユニットに回転自在に連結される回転軸が固定端側に設けられ、該回転軸を中心とする回転により、自由端側が前記第１装飾ユニットに対して近接もしくは離間するとしてもよい。
【０００９】
また、前記回転動力伝達機構は、前記第２装飾ユニットの前記回転軸に設けられた従動ギヤを少なくとも含む１または互いに噛合関係にある複数の回転ギヤと、前記回転ギヤに噛合され、前記第１装飾ユニットの移動方向に延在するラックと、を備えるとしてもよい。
【００１０】
また、前記第２装飾ユニットは、前記自由端側の端部に設けられた可動装飾体と、一端が前記可動装飾体に連結され、他端が前記第１装飾ユニットに連結されたリンク機構と、を備え、前記リンク機構は、前記第２装飾ユニットの自由端側と前記第１装飾ユニットとが最も離間した初期位置から、該第１装飾ユニットの直線方向の移動に伴って、該第２装飾ユニットの自由端側が該第１装飾ユニットに最も近接する可動位置まで回転する過程で、前記可動装飾体を、該第２装飾ユニットの回転の軌跡に交差する方向に突出させるとしてもよい。
【発明の効果】
【００１１】
本発明によれば、少ない部品点数で演出役物装置を可動させることで、低コストでありながらも高い演出効果を発揮することができる。
【図面の簡単な説明】
【００１２】
【図１】本実施形態の遊技機の斜視図である。
【図２】演出役物装置の正面を示した斜視図である。
【図３】一部の部品を外した状態の演出役物装置を説明するための斜視図である。
【図４】ベースユニットを説明するための斜視図である。
【図５】カムを説明するための斜視図である。
【図６】第１装飾板の直線方向の移動を説明するための正面図である。
【図７】回転動力伝達機構を説明するための斜視図である。
【図８】回転動力伝達機構と第２装飾板の背面図である。
【図９】第１装飾板、第２装飾板、回転動力伝達機構の正面を示した斜視図である。
【図１０】演出役物装置の可動を示すための正面図である。
【図１１】可動装飾体を説明するための斜視図である。
【図１２】可動装飾体の可動を示すための第１装飾板および第２装飾板の背面図である。
【図１３】可動装飾体の可動を示すための第１装飾板、第２装飾板、回転動力伝達機構の正面図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、本実施形態の遊技機１の斜視図であり、扉が開放された状態を示している。なお、図示のように、遊技機１は、略矩形状に組まれた四辺によって囲繞空間が形成される外枠３と、この外枠３にヒンジ機構によって開閉自在に取り付けられた中枠５と、この中枠５に、ヒンジ機構によって開閉自在に取り付けられた前枠７と、を備えている。
【００１５】
中枠５は、外枠３と同様に、略矩形状に組まれた四辺によって囲繞空間が形成されており、この囲繞空間に遊技盤９が保持されている。また、前枠７には、ガラス製または樹脂製の透過板１１が保持されている。そして、これら中枠５および前枠７を外枠３に対して閉じると、遊技盤９と透過板１１とが所定の間隔を維持して略平行に対面するとともに、遊技機１の正面側から、透過板１１を介して遊技盤９が視認可能となる。
【００１６】
詳しい説明は省略するが、遊技盤９の前面には、不図示の釘や風車が設けられており、遊技盤９と透過板１１との間隔によって形成される遊技領域を、遊技球が不規則に転動、流下する。また、遊技盤９の前面には、複数の入賞口が設けられており、これらの入賞口に遊技球が入球すると、前枠７の前面に設けられた上皿に、賞球として遊技球が払い出されることとなる。
【００１７】
入賞口に遊技球が入球すると、多量の賞球を獲得可能な大役遊技の実行可否を決定するための大役抽選が行われる。この大役抽選の結果は、液晶表示部等に変動演出画像を表示する等の変動演出によって遊技者に報知されるが、こうした変動演出中には、後述する演出役物装置Ｓが可動し、大当たりの期待感を遊技者に与える。
【００１８】
こうした演出役物装置Ｓは、遊技盤９の背面であって、液晶表示部等の前側に設けられる。液晶表示部等に変動演出画像を表示しているときには、液晶表示部等を遊技者に視認させるため、演出役物装置Ｓを、液晶表示部等と干渉しない位置で収納する必要がある。一方で、演出役物装置Ｓは大きいほどその演出効果が増大するが、液晶表示部等に干渉させずに大きな演出役物装置Ｓを遊技盤９と液晶表示部との間の限られたスペースに収納することは困難である。そこで、演出役物装置Ｓにおいて、演出役物装置Ｓの可動時に液晶表示部等の前面に移動する装飾ユニット（後述する第１装飾ユニット１００、第２装飾ユニット２００）を分割する。演出役物装置Ｓの非可動時には、分割した装飾ユニットを、液晶表示部等を覆わないように遊技盤９の背面に収納しておく。以下に、演出役物装置Ｓについて詳述する。
【００１９】
図２は演出役物装置Ｓの正面を示した斜視図であり、図３は一部の部品を外した状態の演出役物装置Ｓを説明するための斜視図である。図３（ａ）は一部の部品を外した状態の演出役物装置Ｓの正面を示した斜視図、図３（ｂ）は一部の部品を外した状態の演出役物装置Ｓの背面を示した斜視図である。
【００２０】
なお、以下では図２、図３に示すｘ方向を演出役物装置Ｓの幅方向とし、ｙ方向を演出役物装置Ｓの高さ方向とし、ｚ方向を演出役物装置Ｓの厚さ方向として説明する。演出役物装置Ｓを遊技盤９の背面に取り付けた状態では、演出役物装置Ｓの幅方向と遊技機１の幅方向、演出役物装置Ｓの高さ方向と遊技機１の高さ方向、演出役物装置Ｓの厚さ方向と遊技機１の厚さ方向とが一致する。
【００２１】
図２、図３に示すように、演出役物装置Ｓは、第１装飾ユニット１００、第２装飾ユニット２００、ベースユニット３００、回転動力伝達機構４００を備えて構成される。第１装飾ユニット１００は、第１装飾部材１１０と、第１装飾板１２０とを備えている。第１装飾部材１１０は、第１装飾板１２０にビス止めされて固定され、第１装飾ユニット１００の最前面に位置し、透過板１１を通して遊技者に視認される。第１装飾板１２０は、上部に、第１装飾板１２０の幅方向に延在する長孔１１２ａ、１１２ｂが設けられ、この長孔１１２ａ、１１２ｂを介して、第１装飾ユニット１００がベースユニット３００に支持される。
【００２２】
第２装飾ユニット２００は、第２装飾部材２１０と、第２装飾板２２０とを備えている。第２装飾部材２１０は、第２装飾板２２０にビス止めされて固定され、第２装飾ユニット２００の最前面に位置し、透過板１１を通して遊技者に視認される。第２装飾板２２０は、回転軸２２２を介して第１装飾板１２０に回転自在に連結される。図３（ｂ）に示すように、第２装飾ユニット２００の背面には、後述するリンク機構２３０が設けられている。
【００２３】
図４はベースユニット３００を説明するための斜視図であり、図４（ａ）はベースユニット３００の正面を示した斜視図であり、図４（ｂ）はベースユニット３００の背面を示した斜視図である。図４に示すように、ベースユニット３００は、ベース板３１０、アクチュエータ３２０、伝達部材３３０を備えて構成される。
【００２４】
ベース板３１０は、アクチュエータ３２０と伝達部材３３０が取り付けられる板部材であり、遊技盤９の背面にビス止めされる。アクチュエータ３２０は、一対のモータ３２２（図４中、３２２ａ、３２２ｂで示す）で構成され、これらモータ３２２が、ベース板３１０の正面側において、ベース板３１０の幅方向両端の上部に設けられている。モータ３２２は、ベース板３１０に設けられた孔に出力軸３２４を挿通させてベース板３１０に固定されており、ベース板３１０の背面側に設けられた伝達部材３３０に、モータ３２２の回転動力が伝達される。伝達部材３３０は、モータ３２２ａ、３２２ｂそれぞれに設けられており、モータ３２２ａ、３２２ｂの出力軸３２４に固定されたギヤ３５０ａ、ギヤ３５０ａに噛合するギヤ３５０ｂ、ギヤ３５０ｂに噛合するギヤ３５０ｃを備えている。また、伝達部材３３０は、ベース板３１０の正面側に設けられた一対のカム３４０（図４中、３４０ａ、３４０ｂで示す）を備えている。このカム３４０は、ベース板３１０に設けられた孔を介して、ベース板３１０の背面側でギヤ３５０ｃに固定されている。
【００２５】
また、カム３４０は、ギヤ３５０ｃを中心としてギヤ３５０ｃの径方向に突出する形状であり、その突出方向先端には、ベース板３１０の正面側に起立するピン３４２（図４中、３４２ａ、３４２ｂで示す）が設けられている。
【００２６】
図５はカム３４０を説明するための斜視図であり、図５（ａ）はカム３４０の正面を示す斜視図、図５（ｂ）は、カム３４０の背面を示す斜視図である。ピン３４２は、先端に設けられたネジ部３４４と、ネジ部３４４よりも大径のガイド部３４６と、ガイド部３４６よりも大径のフランジ部３４８とを有している。カム３４０の背面には、ネジ溝が形成されたボス３４０ｃが設けられており、ピン３４２のネジ部３４４がカム３４０の正面側から、カム３４０に形成された孔３４０ｄに挿通されて、ボス３４０ｃのネジ溝に螺合される。このとき、ガイド部３４６およびフランジ部３４８がカム３４０よりも正面側に位置するとともに、フランジ部３４８は、ガイド部３４６の長さ分だけ、カム３４０から離間する。
【００２７】
したがって、図４に示すように、モータ３２２（アクチュエータ３２０）が駆動すると、モータ３２２に固定されたギヤ３５０ａが回転し、ギヤ３５０ａの動力はギヤ３５０ｂ、３５０ｃに伝達される。その結果、ギヤ３５０ｃに固定されたカム３４０が回転する。このとき、カム３４０の背面のボス３４０ｃは、ベース板３１０に設けられた溝であるカムガイド３１２上を移動する。このように、カム３４０は、モータ３２２が回転駆動されると、ギヤ３５０ｃを回転中心として回転し、よって、ピン３４２もギヤ３５０ｃを中心に回転することとなる。
【００２８】
図３（ａ）に戻って説明すると、第１装飾板１２０に設けられた長孔１１２ａ、１１２ｂにピン３４２を挿通させることで、第１装飾板１２０すなわち第１装飾ユニット１００がベースユニット３００に支持される。具体的に説明すると、演出役物装置Ｓの組み付け時には、カム３４０の正面と、第１装飾板１２０の背面とを対向させた状態で、ピン３４２を、第１装飾板１２０の正面側から長孔１１２ａ、１１２ｂに挿通させて、カム３４０に螺合させ、固定する。このとき、ピン３４２のガイド部３４６が、長孔１１２ａ、１１２ｂの内壁と接する状態で、ピン３４２のネジ部３４４がカム３４０のボス３４０ｃに螺合される。ピン３４２のフランジ部３４８は、ガイド部３４６より大径であり、また、長孔１１２ａ、１１２ｂの高さ方向の幅より大径である。したがって、第１装飾板１２０はピン３４２のフランジ部３４８とカム３４０の正面とに挟まれる状態でベースユニット３００に支持される。
【００２９】
図６は、第１装飾板１２０の直線方向の移動を説明するための正面図であり、図６（ａ）は第１装飾板１２０の初期位置を示す正面図、図６（ｂ）は第１装飾板１２０の遷移状態を示す正面図、図６（ｃ）は、第１装飾板１２０の可動位置を示す正面図である。なお、図６では、理解を容易にするため、演出役物装置Ｓの一部の部品を取り外している。
【００３０】
図６（ａ）に示す初期位置では、第１装飾板１２０の長孔１１２ａ、１１２ｂに挿通されたカム３４０ａのピン３４２ａおよびカム３４０ｂのピン３４２ｂは、ベースユニット３００の上端側に位置している。また、この初期位置では、ピン３４２ａ、３４２ｂに支持される第１装飾板１２０すなわち第１装飾ユニット１００が、図示のように、ベース板３１０のほぼ全面を覆うように保持されている。カム３４０ａのピン３４２ａは、長孔１１２ａ内において、長孔１１２ｂ側に位置し、カム３４０ｂのピン３４２ｂは、長孔１１２ｂ内において、長孔１１２ａ側に位置している。
【００３１】
モータ３２２ａ、３２２ｂが駆動すると、カム３４０ａ、３４０ｂが回転し、遷移状態（図６（ｂ））に移行する。カム３４０ａは、ベースユニット３００の正面から見て反時計回りに回転し、ピン３４２ａは、長孔１１２ａの中をＸ軸負方向に移動しながら下方（Ｙ軸負方向）に移動する。また、カム３４０ｂは、ベースユニット３００の正面から見て時計回りに回転し、ピン３４２ｂは、長孔１１２ｂの中をＸ軸正方向に移動しながら下方に移動する。
【００３２】
そして、カム３４０ａ、３４０ｂがさらに回転すると、ピン３４２ａは、図６（ｂ）に示す遷移状態から長孔１１２ａ内をＸ軸正方向に移動しながらさらに下方（Ｙ軸負方向）に移動し、ピン３４２ｂは、図６（ｂ）に示す遷移状態から長孔１１２ｂ内をＸ軸負方向に移動しながらさらに下方に移動する。こうして、カム３４０ａ、３４０ｂが、初期位置から略１８０度回転した可動位置（図６（ｃ））において、ピン３４２ａ、３４２ｂはベースユニット３００の下端側に位置する。
【００３３】
以上のように、カム３４０が回転することによって、カム３４０に設けられたピン３４２が、ベースユニット３００の幅方向に往復動しながら上端側から下端側へ移動し、ピン３４２に連結された第１装飾板１２０が直線方向（下方向）に移動する。第１装飾板１２０には第２装飾ユニット２００の第２装飾板２２０が連結されているため（図３参照）、第１装飾ユニット１００と第２装飾ユニット２００は一体となって下方向に移動する。また、ギヤ３５０ａ、３５０ｂ、３５０ｃを逆回転させることで、カム３４０ａ、３４０ｂがベースユニット３００の下端側から上端側へ移動し、第１装飾ユニット１００と第２装飾ユニット２００は上方向に移動することができる。
【００３４】
上記のように、第１装飾ユニット１００および第２装飾ユニット２００は、演出役物装置Ｓの高さ方向に一体となって往復動することとなるが、第２装飾ユニット２００は、上記の回転軸２２２を軸として回転しながら高さ方向に移動する。このとき、演出役物装置Ｓは、アクチュエータ３２０による、第１装飾ユニット１００を直線方向に移動させる動力を、第２装飾ユニット２００の回転方向の動力に変換する回転動力伝達機構４００を備えており、この回転動力伝達機構４００によって、第２装飾ユニット２００が高さ方向に移動しながら回転することとなる。以下に、回転動力伝達機構４００の構成について説明する。
【００３５】
図７は、回転動力伝達機構４００を説明するための斜視図であり、図７（ａ）は、回転動力伝達機構４００と第１装飾板１２０の正面を示した斜視図、図７（ｂ）は、演出役物装置Ｓの背面を示した斜視図と、その部分拡大図である。なお、図７（ｂ）の部分拡大図では、理解を容易にするため、一部の部品を取り外している。
【００３６】
回転動力伝達機構４００は、ラック４１０と回転ギヤ４２０とを備えて構成されている。ラック４１０は、上下方向に延在する２枚の側板４１２を有し、側板４１２は演出役物装置Ｓの厚さ方向に離隔して対向配置され、側板４１２の間には上下方向に延在するラックギヤ４１４が設けられている。なお、ラック４１０は、遊技盤９の背面に固定される。
【００３７】
図７（ｂ）の部分拡大図に示すように、回転ギヤ４２０は、ラック４１０のラックギヤ４１４と噛合するピニオンギヤ４２２、ピニオンギヤ４２２の動力を伝達させる伝達ギヤ４２４（図７中、４２４ａ、４２４ｂで示す）、および、第２装飾板２２０の背面に一体形成された従動ギヤ４２６を備えている。図７（ａ）に示すように、ピニオンギヤ４２２と伝達ギヤ４２４は、第１装飾板１２０に回転自在に支持されている。
【００３８】
また、第１装飾板１２０にはローラ１２２が設けられており（本実施形態では２個）、このローラ１２２がラック４１０の側板４１２の側縁と嵌合する。モータ３２２の駆動により第１装飾ユニット１００が上下方向に移動すると、第１装飾板１２０のローラ１２２は、側板４１２の側縁をレールとして、転動しながら上下方向に移動する（図６参照）。このとき、第１装飾板１２０に支持されたピニオンギヤ４２２が、ラック４１０のラックギヤ４１４と噛合していることから、このピニオンギヤ４２２は、第１装飾板１２０の上下方向の移動に伴って回転する。こうしてピニオンギヤ４２２が回転すると、このピニオンギヤ４２２と一体となって、伝達ギヤ４２４が回転する。
【００３９】
図７（ｂ）の部分拡大図に示すように、従動ギヤ４２６の中心４２６ａは、第２装飾板２２０の回転軸２２２に回転自在に支持されている。従動ギヤ４２６は伝達ギヤ４２４ｂと噛合していることから、第１装飾ユニット１００の上下方向の移動に伴って、伝達ギヤ４２４ｂが回転すると、従動ギヤ４２６は、従動ギヤ４２６の中心４２６ａ、すなわち、第２装飾板２２０の回転軸２２２を軸に回転し、従動ギヤ４２６と一体となった第２装飾板２２０（第２装飾ユニット２００）が回転する。
【００４０】
図８は、回転動力伝達機構４００と第２装飾板２２０の背面図であり、図９は、第１装飾板１２０、第２装飾板２２０、回転動力伝達機構４００の正面を示した斜視図、図１０は、演出役物装置Ｓの可動を示すための正面図である。
【００４１】
図８（ａ）は第２装飾板２２０の初期位置を示し、図８（ｂ）は第２装飾板２２０の遷移状態を示し、図８（ｃ）は第２装飾板２２０の可動位置を示している。また、図９（ａ）は第１装飾板１２０と第２装飾板２２０の初期位置を示し、図９（ｂ）は第１装飾板１２０と第２装飾板２２０の遷移状態を示し、図９（ｃ）は第１装飾板１２０と第２装飾板２２０の可動位置を示している。図１０（ａ）は、第１装飾ユニット１００と第２装飾ユニット２００の初期位置、図１０（ｂ）は、第１装飾ユニット１００と第２装飾ユニット２００の遷移状態、図１０（ｃ）は、第１装飾ユニット１００と第２装飾ユニット２００の可動位置を示している。
【００４２】
なお、第２装飾板２２０の初期位置は、第１装飾板１２０が初期位置にあるときの位置であり、第２装飾板２２０の遷移状態は、第１装飾板１２０が遷移状態にあるときの状態であり、第２装飾板２２０の可動位置は、第１装飾板１２０が可動位置にあるときの位置である。図９からも明らかなように、第１装飾板１２０および第２装飾板２２０の初期位置では、第２装飾板２２０の自由端が、第１装飾板１２０と最も離隔しており、初期位置から可動位置まで可動する過程で、第２装飾板２２０の自由端が、第１装飾板１２０に徐々に近接していく。
【００４３】
初期位置（図８（ａ）、図９（ａ）、図１０（ａ））では、ピニオンギヤ４２２はラック４１０の上部に位置し、また、第２装飾板２２０の自由端および第２装飾部材２１０の自由端は、第１装飾板１２０および第１装飾部材１１０と最も離間した位置にある。
【００４４】
モータ３２２の駆動により第１装飾板１２０が下方向に移動すると、ピニオンギヤ４２２が、第１装飾板１２０と一体となって下方向に移動しながら回転し、遷移状態（図８（ｂ）、図９（ｂ）、図１０（ｂ））に移行する。ピニオンギヤ４２２の回転動力は、伝達ギヤ４２４を介して従動ギヤ４２６を回転させる。従動ギヤ４２６が回転することで、第２装飾板２２０は、従動ギヤ４２６の中心４２６ａ、すなわち、回転軸２２２を中心に回転し、第２装飾板２２０の自由端側が第１装飾板１２０に近接する。図９に示すように、初期位置では、第１装飾板１２０と第２装飾板２２０とが、およそ９０度の角度で位置しているが、第１装飾板１２０が下方向へ移動すると、これと一体となって第２装飾板２２０は下方向へ移動するとともに、回転軸２２２を軸として回転するため、第２装飾板２２０の自由端側が弧を描きながら第１装飾板１２０に近接していく。
【００４５】
また、図１０に示すように、初期位置では、第１装飾部材１１０と第２装飾部材２１０とが、およそ９０度の角度で位置しており、第１装飾部材１１０が下方向へ移動すると、これと一体となって第２装飾部材２１０も下方向へ移動するとともに、回転軸２２２（図９参照）を軸として回転し、第２装飾部材２１０の自由端側が弧を描きながら第１装飾部材１１０に近接していく。
【００４６】
遷移状態から、第１装飾板１２０が下方向へさらに移動すると、第２装飾板２２０の下方向への移動と回転移動が進み、可動位置（図８（ｃ）、図９（ｃ）、図１０（ｃ））に移行する。このとき、第２装飾板２２０は、初期位置から可動位置まで略９０度回転することとなる。図９（ｃ）に示すように、可動位置において、第２装飾板２２０は、第１装飾板１２０の下端と、第２装飾板２２０の可動位置における上端が対向し、第１装飾板１２０と第２装飾板２２０が最も近接する位置にある。
【００４７】
また、図１０（ｃ）に示すように、可動位置において、第１装飾部材１１０と第２装飾部材２１０は、第１装飾部材１１０の下端と、第２装飾部材２１０の可動位置における上端とが対向し、一体となって、略円形の装飾ユニットが形成される。
【００４８】
なお、上記の可動位置からモータ３２２を逆回転させることで、上記とは逆に、第２装飾板２２０（第２装飾部材２１０）の自由端が、第１装飾板１２０（第１装飾部材１１０）と離間する方向に回転しながら初期位置へと復帰する。
【００４９】
以上のように、回転動力伝達機構４００は、第１装飾ユニット１００の直線方向の動力を、回転方向の動力に変換して、第２装飾ユニット２００を回転移動させる。第２装飾ユニット２００の回転移動の動力として、第１装飾ユニット１００の動力を利用するため、別のアクチュエータを備える必要がない。このように、本実施形態の遊技機１によれば、少ない部品点数で演出役物装置Ｓを可動させることができ、低コストでありながらも高い演出効果を発揮することができる。
【００５０】
なお、こうした演出役物装置Ｓは、限られた範囲内で設置する必要があるが、第２装飾ユニット２００が下方向に移動しながら回転移動を行う際に、第２装飾ユニット２００の自由端側の端部が、遊技盤９の下部に設けられている部品と干渉しないように設計する必要がある。したがって、こうした干渉を回避するために、第２装飾ユニット２００を縮小することが考えられるが、第２装飾ユニット２００を縮小すると、演出役物装置Ｓの演出効果が減少してしまう。そこで、本実施形態では、第２装飾ユニット２００の自由端側の端部に、可動装飾体２４０を設けることで、第２装飾ユニット２００を小さくすることなく、第２装飾ユニット２００を回転させることを可能としている。以下に、可動装飾体２４０の説明を行う。
【００５１】
図１１は、可動装飾体２４０を説明するための斜視図であり、図１１（ａ）は、第２装飾ユニット２００の正面を示す斜視図、図１１（ｂ）は、第２装飾ユニット２００から、第２装飾板２２０にビス止めで固定される第２装飾部材２１０を外した状態の正面を示す斜視図である。図１１（ｃ）は、第２装飾ユニット２００の背面を示す斜視図である。図１１に示すように、可動装飾体２４０は、第２装飾板２２０の自由端側に設けられた、第２装飾部材２１０の一部を構成する。可動装飾体２４０は、第２装飾ユニット２００の回転の動力を利用し、第２装飾板２２０の背面に設けられたリンク機構２３０によって可動する。
【００５２】
図１１（ｃ）に示すように、リンク機構２３０は、センターアーム２３２、リンクアーム２３４、スライダ２３６を備えている。センターアーム２３２は、中心が第２装飾板２２０の背面に回転自在に支持されている。リンクアーム２３４は、一端が第１装飾板１２０の背面に回転自在に連結され、他端がセンターアーム２３２の一端に回転自在に連結される。スライダ２３６は、一端がセンターアーム２３２の他端に回転自在に連結され、他端が可動装飾体２４０の背面に固定される。図１１（ｂ）に示すように、第２装飾板２２０は、第２装飾板２２０の幅方向に長さを有するスライド孔２２４が設けられ、このスライド孔２２４に、スライダ２３６に固定されたガイド２３６ａが摺動自在に嵌合されている。
【００５３】
図１２は、可動装飾体２４０の可動を示すための第１装飾板１２０および第２装飾板２２０の背面図、図１３は、可動装飾体２４０の可動を示すための第１装飾板１２０、第２装飾板２２０、回転動力伝達機構４００の正面図である。
【００５４】
図１２（ａ）、図１３（ａ）は、可動装飾体２４０の初期位置、図１２（ｂ）、図１３（ｂ）は、可動装飾体２４０の可動の遷移状態、図１２（ｃ）、図１３（ｃ）は、可動装飾体２４０の可動位置を示す。
【００５５】
ここで、可動装飾体２４０が第２装飾板２２０の回転軸２２２側に最も寄っている状態を、可動装飾体２４０の可動の初期位置（図１２（ａ）、図１３（ａ））とする。なお、可動装飾体２４０の初期位置は、第１装飾板１２０が初期位置にあるときの位置であり、可動装飾体２４０の可動の遷移状態は、第１装飾板１２０が遷移状態にあるときの状態であり、可動装飾体２４０の可動位置は、第１装飾板１２０が可動位置にあるときの位置である。
【００５６】
初期位置（図１２（ａ）、図１３（ａ））では、可動装飾体２４０は第２装飾板２２０の回転軸２２２側に寄っている。このため、第２装飾板２２０の初期位置における高さは、第２装飾板２２０の可動位置における幅より短い。
【００５７】
第２装飾板２２０が回転し、遷移状態（図１２（ｂ）、図１３（ｂ））に移行すると、第２装飾板２２０の背面のリンクアーム２３４が、第１装飾板１２０に連結された一端部を中心に回転し、このリンクアーム２３４の回転によりセンターアーム２３２が回転する。そして、一端がセンターアーム２３２に連結されたスライダ２３６が、第２装飾板２２０の回転の軌跡と交差（本実施形態では略直交）する方向に移動し、ガイド２３６ａはスライド孔２２４内を第２装飾板２２０の自由端側へ移動する。スライダ２３６の移動に伴って、スライダ２３６の他端に固定された可動装飾体２４０は、第２装飾板２２０の自由端から離れる方向（第２装飾板２２０の回転の軌跡と交差する方向）に突出する。
【００５８】
第２装飾板２２０が更に回転移動すると、スライダ２３６も更に移動し、可動位置（図１２（ｃ）、図１３（ｃ））では、可動装飾体２４０は、第１装飾板１２０の下端部と、第２装飾板２２０の自由端側の側縁と近接する。可動装飾体２４０の可動により、可動位置においては、第１装飾部材１１０と第２装飾部材２１０、および可動装飾体２４０とが一体となって形成される略円形の装飾ユニットが完成する。
【００５９】
第２装飾ユニット２００の自由端側を可動装飾体２４０として可動させることで、初期位置における第２装飾ユニット２００の高さは、可動位置における第２装飾ユニット２００の幅方向よりも短くなり、遊技盤９の下部に設けられている部品と干渉することなく第２装飾ユニット２００が回転移動することができる。また、第２装飾ユニット２００を縮小することなく回転移動することが可能となる。これにより、演出役物装置Ｓの演出効果を損なうことなく演出を実行できる。
【００６０】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６１】
上記実施形態では、第１装飾ユニット１００および第２装飾ユニット２００が鉛直方向に移動するように遊技盤９の背面内に取り付けられることとしたが、第１装飾ユニット１００および第２装飾ユニット２００は、例えば、水平方向に移動してもよい。いずれにしても、アクチュエータの動力により直線方向に往復動する第１装飾ユニットと、第１装飾ユニットに回転自在に連結され、第１装飾ユニットと一体となって直線方向に移動する第２装飾ユニットとが設けられていれば、移動方向や各部材の形状等は特に限定されるものではない。
【００６２】
また、上記実施形態では、第１装飾ユニット１００の直線方向の動力を回転方向の動力に変換して第２装飾ユニット２００に伝達する回転動力伝達機構４００を、ラック４１０および回転ギヤ４２０によって構成することとした。しかしながら、回転動力伝達機構の構成はこれに限らない。いずれにしても、回転動力伝達機構は、第１装飾ユニットの直線方向の動力を回転方向の動力に変換して第２装飾ユニットに伝達し、直線方向の移動過程で第２装飾ユニットを回転させる構成であれば、その詳細は特に限定されるものではない。
【符号の説明】
【００６３】
１     …遊技機
Ｓ     …演出役物装置
１００  …第１装飾ユニット
２００  …第２装飾ユニット
２２２  …回転軸
２３０  …リンク機構
２４０  …可動装飾体
３００  …ベースユニット
３２０  …アクチュエータ
３３０  …伝達部材
４００  …回転動力伝達機構
４１０  …ラック
４２０  …回転ギヤ
４２６  …従動ギヤ
【図１】
2014217428.tif 000003
【図２】
2014217428.tif 000004
【図３】
2014217428.tif 000005
【図４】
2014217428.tif 000006
【図５】
2014217428.tif 000007
【図６】
2014217428.tif 000008
【図７】
2014217428.tif 000009
【図８】
2014217428.tif 000010
【図９】
2014217428.tif 000011
【図１０】
2014217428.tif 000012
【図１１】
2014217428.tif 000013
【図１２】
2014217428.tif 000014
【図１３】
2014217428.tif 000015